(57)【要約】【課題】            雌部を構成している内キャップの疲労が生ずる度合いが少なく、しかも製造段階におけるバリ、引けが生じた場合、又は寸法に多少の正確性が欠如した場合においても、ペン先の後方周囲に位置する雄部と内キャップを構成している雌部とによる気密性を維持できるような筆記具の構成を提供すること。【解決手段】        ペン先１１の後側周囲に位置している先細り状の傾斜部を含む雄部１２と、キャップ２内における内キャップ２１の先端に設けられ、かつ該雄部１２と嵌合し合う雌部２２を有している筆記具であって、該雄部１２又は該雌部２２の何れか一方に凹溝４を設け、当該凹溝４に沿ってＯリング３を、当該凹溝４から突出した状態にて設け、かつ当該Ｏリング３は、該雄部１２と該雌部２２とを嵌合自在とする程度の伸縮性、及び断面形状を有することに基づく筆記具。【選択図】          図４
2006056209.tif 000002
【特許請求の範囲】
【請求項１】
ペン先の後側周囲に位置している先細り状の傾斜部を含む雄部と、キャップ内における内キャップの先端に設けられ、かつ該雄部と嵌合し合う雌部を有している筆記具であって、該雄部又は該雌部の何れか一方に凹溝を設け、当該凹溝に沿ってＯリングを、当該凹溝から突出した状態にて設け、かつ当該Ｏリングは、該雄部と該雌部とを嵌合自在とする程度の伸縮性、及び断面形状を有することに基づく筆記具。
【請求項２】
傾斜部として、テーパー形状を採用したことを特徴とする請求項１記載の筆記具。
【請求項３】
傾斜部として、先端部になるに従って勾配が増加するような長手方向断面曲線状を採用したことを特徴とする請求項１記載の筆記具。
【請求項４】
雄部において、傾斜部の後方に、円柱形状部分が存在することを特徴とする請求項１記載の筆記具。
【請求項５】
凹溝及びＯリングを、雄部の傾斜部又は円柱形状部分に設けたことを特徴とする請求項４記載の筆記具。
【請求項６】
雄部が、傾斜部のみから構成されており、雌部が逆傾斜部のみから構成されていることを特徴とする請求項１記載の筆記具。
【請求項７】
Ｏリングにおいて凹溝の底部に当接している内側端と凹溝から突出している外側端とによる幅の内、約２／３の幅を有する内側部分が、凹溝中に埋設され、かつ約１／３の幅を有する外側部分が、凹溝から突出していることを特徴とする請求項１記載の筆記具。
【請求項８】
雄部又は雌部の何れか一方に、凹溝及びＯリングを複数個設けたことを特徴とする請求項１記載の筆記具。
【発明の詳細な説明】
【技術分野】
【０００１】
本発明は、水性インクなど蒸発し易いインクを使用しているボールペン、サインペンなどの筆記具に関するものである。
【背景技術】
【０００２】
水性インクなどの流動性を有しているインクを使用している筆記具においては、水性インクをペン先に誘導する際に、例えば万年筆の場合のように、筆記具本体に、鍔状の円輪を複数個ジャバラ状に併設してインクの粘性抵抗を利用して誘導する方式、及び例えばサインペンの場合のように、筆記具本体のパイプに綿状の繊維性物質を充満させて毛細管現象によって誘導する方式などが存在する。
【０００３】
何れの方式においても、不使用時において、ペン先をキャップに挿入する際、ペン先の周囲において密閉状態を出現させるために、図５に示すように、ペン先の後側周囲に先細り状の傾斜部を含む雄部を設け、かつキャップの内側に設けられている内キャップの先端部に、該傾斜部によって抉じ開けられた状態にて嵌合し得る雌部を設けている。
尚、図５においては、雄部として、テーパー状の傾斜部のみを有している場合を示すが、雄部及び雌部の形状がそのような形状に限定される訳ではないことは、実施形態に基づいて後述する通りである。
【０００４】
従来、雄部は、金属又は変形し難いプラスチックによる素材を採用しているのに対し、内キャップ及びその先端部は、ポリプロピレン、ポリエチレンなどの変形可能なプラスチックを素材としており、前記のように抉じ開けられた状態にて嵌合した際、多少広がった状態の弾性変形を行いながら密閉状態を形成し、インクの蒸発を防止している。
【０００５】
従前の雄部と雌部との嵌合状態を形成する構成においては、
（１）雌部がやや弾性変形を行い、広がった状態を継続した場合、プラスチック素材が疲労変形し、弾性を維持できず、密閉状態に支障を来たすこと、
（２）成型段階において、雄部又は雌部の何れか一方又は双方に、バリ又は引けが生じた場合には、密閉状態を出現できないという不都合が生ずること、
（３）成型に際し、設計上の不十分性などを原因として、雄部及び雌部の寸法が十分合致しない場合にも、密閉状態を形成できないこと、
などの技術上の問題点が存在していた。
【０００６】
しかるに、前記（１）、（２）、（３）の問題点を解決するような構成は、これまで提唱されていなかった。
【０００７】
【特許文献１】特開平７−３２３６８９号公報。
【特許文献２】特開平８−１０８６７８号公報。
【特許文献３】特開平１０−１３８６８９号公報。
【発明の開示】
【発明が解決しようとする課題】
【０００８】
本発明は、雌部の疲労が生ずる度合いが少なく、しかも製造段階におけるバリ、引けが生じた場合、又は寸法における正確性の欠如が生じている場合においても、雄部と雌部とによる気密性を維持できるような筆記具の構成を提供することと課題としている。
【課題を解決するための手段】
【０００９】
前記課題を解決するため、本発明の構成は、ペン先の後側周囲に位置している先細り状の傾斜部を含む雄部と、キャップ内における内キャップの先端に設けられ、かつ該雄部と嵌合し合う雌部を有している筆記具であって、該雄部又は該雌部の何れか一方に凹溝を設け、当該凹溝に沿ってＯリングを、当該凹溝から突出した状態にて設け、かつ当該Ｏリングは、該雄部と該雌部とを嵌合自在とする程度の伸縮性、及び断面形状を有することに基づく筆記具からなる。
【発明の効果】
【００１０】
前記構成に基づき、本発明においては、雌部の疲労が生ずる度合いが少なく、しかも製造段階におけるバリ、引けが生じた場合、又は寸法における正確性の欠如が生じている場合においても、雄部と雌部とによる気密性を維持でき、ひいては、インクの蒸発を防止することができる。
【発明を実施するための最良の形態】
【００１１】
本発明においては、雄部１２、又は雌部２２の何れか一方に凹溝４及びＯリング３を設けたうえで、雄部１２又は雌部２２の他方と嵌合可能な状態としたことを基本的な特徴としている。
【００１２】
図３（ａ）、（ｂ）は、Ｏリング３をテーパー形状の傾斜部に設けた実施形態を示しているが、当該実施形態においては、Ｏリング３を雄部１２の凹溝４に沿って設けており、嵌合に際し、雄部１２から外れることを防止している。
【００１３】
図３（ａ）は、図５に示す従来技術の場合と同様、雌部２２の円筒形状部分の内側とＯリング３とが当接し合っている実施態様を示しているのに対し、図３（ｂ）は、雌部１２に逆傾斜部を設け、雄部１２の傾斜部と嵌合させ、かつＯリング３と当接させた実施形態を示している。
【００１４】
図４（ａ）、（ｂ）は、何れも雄部１２において傾斜部の後方に略円柱形状部分１２１を設けた実施形態を示している。
【００１５】
図４（ａ）は、図３（ａ）、（ｂ）の場合と同様に、傾斜部としてテーパー形状を採用しているが、図４（ｂ）においては、傾斜部として、先端となるに従って順次勾配が増加するような長手方向断面直線形状を採用しているが、図４（ｂ）の実施形態の場合には、スムースな嵌合に好適である。
【００１６】
図４（ａ）においては、前記円柱形状部分１２１にＯリング３を設けているが、当該実施形態の場合には、設計工作が簡便という点において便利であることから、このような実施形態を採用することが多いことになる。
【００１７】
他方、図４（ｂ）は、凹溝４、及びＯリング３を、前記円柱形状部分１２１に嵌合する雌部２２の円筒形状部分に設けているが、実際には凹溝４、及びＯリング３は、雌部２２に設ける実施形態よりも雄部１２に設ける場合のほうが圧倒的に多いというのが実情である。
【００１８】
Ｏリング３の断面形状としては、図３（ａ）、（ｂ）に示すように、略円形状の場合を典型例としているが、当該断面形状はそのような形状に限定される訳ではなく、例えば、図４（ａ）に示すような、三角形状（この場合には頂部が凹溝４から突出することになる。）、更には、図４（ｂ）に示すような三角形と矩形とを組み合わせたことによる五角形の形状をも採用することができる。
【００１９】
何れの実施形態においても、雄部１２と雌部２２とは、Ｏリング３と密着しており、当該Ｏリング３を介して、気密性を維持することができるので、従来技術の場合のように、雄部１２と雌部２２との嵌合に際し、雌部２２がやや広がった状態となるような弾性変形を行う必要がなく、これによって、雌部２２の弾性疲労を防止することができる。
【００２０】
他方、嵌合に際し、雄部１２と雌部２２との間に多少の隙間が存在したとしても、Ｏリング３と雄部１２及び雌部２２の間は、完全に密着しているので、当該隙間は、気密性維持の支障とはならない。
【００２１】
このため、製造段階におけるバリ、引けの発生、更には、寸法上の不正確性などの雄部１２と雌部２２との隙間の発生の原因となるような事態が存在したとしても、前記気密性を維持することによって、インクの蒸発を防止することが可能となる。
【００２２】
以下、実施例に従って説明する。
【実施例１】
【００２３】
実施例１は、図１に示すように、Ｏリング３において凹溝４状の底部に当接している内側端と凹溝４から突出している外側端とによる幅の内、約２／３の幅を有する内側部分が、凹溝中に埋設され、かつ約１／３の幅を有する外側部分が、凹溝４から突出していることを特徴としている。
【００２４】
Ｏリング３は、雄部１２又は雌部２２から外れないように凹溝４内に設けているが、一方では、凹溝４から突出することによって、嵌合に際し、気密性の維持に寄与することが必要とされている（尚、図１は、凹溝４及びＯリング３を、前記の円柱形状部分１２１又は円筒形状部分のような平坦な領域に設けた場合を示している。）。
【００２５】
このような凹溝４内における安定した状態と、前記気密性維持への寄与を調整するうえで、Ｏリング３において、半径方向の外側端と内側端とによる幅の内、どの程度の内側部分を凹溝４内に埋設させ、どの程度の外側部分を凹溝４から突出させるかは、設計上工夫が要求されるところである。
【００２６】
発明者の経験では、前記外側端と内側端とによる幅の内、約１／２程度の内側部分を凹溝４内に埋設し、残約１／２の外側部分を凹溝４から突出した場合には、Ｏリング３の凹溝４内における安定した状態に支障が生じる。
【００２７】
これに対し、Ｏリング３の前記外側端と内側端との幅の内、約３／４の内側部分を凹溝４内に埋設し、残約１／４の外側部分を凹溝４から突出した場合には、逆に、嵌合に際し、圧縮変形する部分が少なく、気密性維持の寄与に不十分である。
【００２８】
実施例１においては、約２／３の内側部分を凹溝４内に埋設し、残約１／３を凹溝４から突出させているが、このような設計が、凹溝４内における安定した状態、及び十分な気密性の維持に対する寄与を両立させることが可能となり、極めて好適である。
【実施例２】
【００２９】
実施例２においては、図２に示すように、複数個（図２においては、２個）の凹溝４及びＯリング３を設けており、このような複数個の設置によって、気密性維持を更に一層向上させている（尚、図２は、凹溝４及びＯリング３を雄部１２のテーパー状の傾斜部に設けている場合を示している。）。
【産業上の利用可能性】
【００３０】
このように、Ｏリングの介在によって、固有の作用効果を発揮している本発明の構成は、筆記具、特に水性インクを用いている筆記具において採用可能である。
【図面の簡単な説明】
【００３１】
【図１】実施例１の状態を説明する断面図である。
【図２】実施例２の構成を示す断面図である。
【図３】雄部として、テーパー形状による傾斜部のみを採用し、かつ当該傾斜部において凹溝及びＯリングを設けたことによる典型的な実施形態を示す断面図であって、（ａ）は、雌部がＯリングによって抉じ開けられた状態となっている実施形態を示しており、（ｂ）は、雌部に雄部の傾斜部と係合する逆傾斜部を設け、かつ凹溝と接触した状態となっている実施形態を示している。
【図４】雄部において傾斜部の後方に円柱形状部分を設け、雌部において内キャップの先端側に該円柱形状部分と嵌合する円筒形状部分を設けたことによる典型的な実施形態を示す断面図であって、（ａ）は、傾斜部として、テーパー形状を採用し、かつ凹溝及びＯリングを円柱形状部分に設けている実施形態を示しており、（ｂ）は、傾斜部として、先端になるに従って勾配が増加するような長手方向断面曲線形状を採用し、かつ凹溝及びＯリングを円筒形状部分に設けたことによる実施形態を示している。
【図５】従来技術における筆記具のペン先付近及びキャップの状態を示す断面図である。
【符号の説明】
【００３２】
１  筆記具本体
１１  ペン先
１２  雄部
１２１  円柱形状部分
２  キャップ
２１  内キャップ
２２  雌部
３  Ｏリング
４  凹溝
【図１】
2006056209.tif 000003
【図２】
2006056209.tif 000004
【図３】
2006056209.tif 000005
【図４】
2006056209.tif 000006
【図５】
2006056209.tif 000007